(57)【要約】【課題】診断時に利用され、ノイズを発生せず、色が自然で十分な輝度があり、かつ長寿命な照明機器を有する診断装置、被検体搬送装置、ＲＦコイルを提供する。【解決手段】診断装置は、筐体１５，１７と、筐体１５，１７に隣接して設置される支持台１３と、支持台１３によって支持され、被検体１２を載置して搬送されるクレードル１１を有する。筐体１５，１７、クレードル１１、支持台１３のうちの少なくとも１つは、白色ＬＥＤを用いて構成されるＬＥＤランプ１００を有する。【選択図】　図２
2004089621.tif 000002
【特許請求の範囲】
【請求項１】
被検体を収容する収容空間を備える筐体と、
半導体発光体を用いて構成され、前記筐体に設置されて前記収容空間の内部を照明する照明手段と
を有する診断装置。
【請求項２】
前記筐体は、
電力供給端子と、
前記電力供給端子に接続される電圧変換手段と
をさらに有し、
前記照明手段は前記電圧変換手段と一体化されて前記筐体に設置される
請求項１に記載の診断装置。
【請求項３】
前記照明手段は複数の半導体発光体群を備え、発光させる前記半導体発光体群を選択することにより明るさが調節され、前記照明手段の点灯時に、明るさに応じて、点灯させる前記半導体発光体群がランダムに選択される
請求項１または２に記載の診断装置。
【請求項４】
診断装置本体と、
被検体を載置し、前記診断装置本体の被検体を収容する収容空間の内部へ搬送される載置手段と、
前記載置手段を支持する支持手段と
を有し、
前記載置手段は、半導体発光体を用いた照明手段を有する
診断装置。
【請求項５】
診断装置本体と、
被検体を載置し、前記診断装置本体の被検体を収容する収容空間の内部へ搬送される載置手段と、
前記載置手段を支持する支持手段と
を有し、
前記支持手段は、半導体発光体を用いて構成され、前記収容空間の内部を照明する照明手段を有する
診断装置。
【請求項６】
前記支持手段は、
電力供給端子と、
前記電力供給端子に接続される電圧変換手段と
をさらに有し、
前記照明手段は前記電圧変換手段と一体化されて前記支持手段に設置される
請求項５に記載の診断装置。
【請求項７】
前記照明手段は複数の半導体発光体群を備え、発光させる前記半導体発光体群を選択することにより明るさが調節され、前記照明手段の点灯時に、明るさに応じて、点灯させる前記半導体発光体群がランダムに選択される
請求項４〜６のいずれかに記載の診断装置。
【請求項８】
静磁場空間内に配置され、被検体の頭部を収容し、当該頭部へＲＦ信号を送信して磁気共鳴信号を受信するコイル部と、前記コイル部を支持するコイル部支持部とを備えるＲＦコイルを有し、
前記コイル部支持部は、当該コイル部支持部および前記コイル部の外部を照明する、半導体発光体を用いた照明手段を有する
磁気共鳴診断装置。
【請求項９】
前記照明手段は複数の半導体発光体群を備え、発光させる前記半導体発光体群を選択することにより明るさが調節され、前記照明手段の点灯時に、明るさに応じて、点灯させる前記半導体発光体群がランダムに選択される
請求項８に記載の磁気共鳴診断装置。
【請求項１０】
被検体を載置し、搬送目標物の前記被検体を収容する収容空間の内部へ搬送される載置手段と、
前記載置手段を支持する支持手段と
を備え、
前記載置手段は、半導体発光体を用いた照明手段を有する
被検体搬送装置。
【請求項１１】
被検体を載置し、搬送目標物の前記被検体を収容する収容空間の内部へ搬送される載置手段と、
前記載置手段を支持する支持手段と
を備え、
前記支持手段は、半導体発光体を用いて構成され、前記収容空間の内部を照明する照明手段を有する
被検体搬送装置。
【請求項１２】
前記支持手段は、電力供給端子と、
前記電力供給端子に接続される電圧変換手段と
をさらに有し、
前記照明手段は前記電圧変換手段と一体化されて前記支持手段に設置される
請求項１１に記載の被検体搬送装置。
【請求項１３】
前記照明手段は複数の半導体発光体群を備え、発光させる前記半導体発光体群を選択することにより明るさが調節され、前記照明手段の点灯時に、明るさに応じて、点灯させる前記半導体発光体群がランダムに選択される
請求項１０〜１２のいずれかに記載の被検体搬送装置。
【請求項１４】
静磁場空間内に配置されて磁気共鳴診断に用いられ、
被検体の頭部を収容し、当該頭部へＲＦ信号を送信して磁気共鳴信号を受信するコイル部と、
前記コイル部を支持するコイル部支持部と
を備え、
前記コイル部支持部は、当該コイル部支持部および前記コイル部の外部を照明する、半導体発光体を用いた照明手段を有する
ＲＦコイル。
【請求項１５】
前記照明手段は複数の半導体発光体群を備え、発光させる前記半導体発光体群を選択することにより明るさが調節され、前記照明手段の点灯時に、明るさに応じて、点灯させる前記半導体発光体群がランダムに選択される
請求項１４に記載のＲＦコイル。
【発明の詳細な説明】
【０００１】
【発明の属する技術分野】
本発明は、被検体や診断装置を照明する照明機器を有する診断装置、被検体搬送装置、および磁気共鳴診断に用いられるＲＦコイルに関する。特定的には、本発明は、発光ダイオード（Ｌｉｇｈｔ　Ｅｍｉｔｔｉｎｇ　Ｄｉｏｄｅ：ＬＥＤ）を用いた照明機器を有する診断装置、被検体搬送装置、およびＲＦコイルに関する。
【０００２】
【従来の技術】
たとえば磁気共鳴診断装置のような診断装置として、被検体（被検者）や診断装置を照明するための照明機器を備えたものが知られている。
従来は、この照明機器としては、ハロゲンランプ、またはタングステンランプが主として用いられていた。
【０００３】
照明機器としてＬＥＤを用いた磁気共鳴検査装置も知られている（特許文献１参照。）。特許文献１に記載のＬＥＤを用いた照明板においては、赤、緑、青等の色を用いて被検者に検査の進行過程を視覚的に伝達していた。
【０００４】
【特許文献１】
特開平５−１６１６２６号公報
【０００５】
【発明が解決しようとする課題】
しかしながら、ハロゲンランプやタングステンランプにおいては、時間の経過とともにフィラメントが弱ってくる。フィラメントが弱くなると、磁気共鳴診断装置（以下、ＭＲ（Ｍａｇｎｅｔｉｃ　Ｒｅｓｏｎａｎｃｅ）診断装置）の場合には、ＲＦ（Ｒａｄｉｏ　Ｆｒｅｑｕｅｎｃｙ）波の送信や勾配磁場の印加等による磁場の変化によってフィラメントがローレンツ力を受けて振動するようになる。このフィラメントの振動がノイズとなり、得られる診断画像の画質を低下させることがあった。
【０００６】
また、フィラメントを用いたランプは、他の部分よりも著しく高い熱を放出する。この熱を放出、または吸収し、診断装置の被検体が触れる部分の温度が高くならないようにするために、沿面距離を十分に設ける等の、設計上の制限が生じる。このように、設計上の制限が存在するために、その対策のためのコストもかかり、ランプの設置場所も制限される。ハロゲンランプやタングステンランプを用いた照明機器は、被検体を搬送するためのクレードルや、静磁場内に配置されるボリュームコイル等のＲＦコイルには設置できなかった。
さらに、フィラメントを用いたランプは、それを用いないランプに較べて寿命が短い。したがって頻繁にランプを取り換える必要があるが、前述のように、ランプは熱対策のために診断装置の表面近傍には設置されていないために、メンテナンス性が悪かった。
【０００７】
特許文献１に記載の照明板においては、白色ＬＥＤを用いておらず、被検体への照明としては色が不適切であった。
【０００８】
したがって、本発明においては、診断時に利用され、ノイズを発生せず、色が自然で十分な輝度があり、かつ長寿命な照明機器を有する診断装置を提供することを目的とする。
また、本発明においては、診断時に利用され、ノイズを発生せず、色が自然で十分な輝度があり、かつ長寿命な照明機器を有する被検体搬送装置を提供することをも目的とする。
さらに、本発明においては、診断時に利用され、ノイズを発生せず、色が自然で十分な輝度があり、かつ長寿命な照明機器を有するＲＦコイルを提供することをも目的とする。
【０００９】
【課題を解決するための手段】
本発明に係る診断装置は、被検体を収容する収容空間を備える筐体と、半導体発光体を用いて構成され、前記筐体に設置されて前記収容空間の内部を照明する照明手段とを有する診断装置である。
【００１０】
本発明に係る診断装置は、診断装置本体と、被検体を載置し、前記診断装置本体の被検体を収容する収容空間の内部へ搬送される載置手段と、当該載置手段を支持する支持手段とを有し、前記載置手段は、半導体発光体を用いた照明手段を有する診断装置の構成であってもよい。
前記載置手段ではなく、前記支持手段が、前記収容空間の内部を照明する前記照明手段を有する構成にすることも可能である。
【００１１】
また、本発明に係る診断装置は、静磁場空間内に配置され、被検体の頭部を収容し、当該頭部へＲＦ信号を送信して磁気共鳴信号を受信するコイル部と、前記コイル部を支持するコイル部支持部とを備えるＲＦコイルを有し、前記コイル部支持部は、当該コイル部支持部および前記コイル部の外部を照明する、半導体発光体を用いた照明手段を有する磁気共鳴診断装置であってもよい。
【００１２】
本発明に係る被検体搬送装置は、被検体を載置し、搬送目標物の前記被検体を収容する収容空間の内部へ搬送される載置手段と、当該載置手段を支持する支持手段とを備え、前記載置手段は、半導体発光体を用いた照明手段を有する被検体搬送装置である。
被検体搬送装置においても、前記載置手段ではなく、前記支持手段が、前記収容空間の内部を照明する前記照明手段を有する構成にすることも可能である。
【００１３】
さらに、本発明に係るＲＦコイルは、静磁場空間内に配置されて磁気共鳴診断に用いられ、被検体の頭部を収容し、当該頭部へＲＦ信号を送信して磁気共鳴信号を受信するコイル部と、前記コイル部を支持するコイル部支持部とを備え、前記コイル部支持部は、当該コイル部支持部および前記コイル部の外部を照明する、半導体発光体を用いた照明手段を有するＲＦコイルである。
【００１４】
本発明においては、照明手段が、半導体発光体を用いて構成される。この照明手段は、診断装置の筐体に設置される。筐体には被検体を収容する収容空間が備えられ、照明手段は、収容空間の内部を照明する。
被検体は、被検体搬送手段によって収容空間の内部に搬送される。被検体搬送手段は、支持手段によって支持された載置手段上に被検体を載置する。
載置手段が支持手段によって支持されながら移動し、被検体が収容空間の内部に位置付けられた場合には、被検体も照明手段によって照明される。
【００１５】
照明手段が載置手段に設けられた場合には、被検体はその照明手段によって、常に同じ位置を照明されながら搬送される。載置手段に設けられた照明手段は、載置手段が収容空間の内部に搬送された場合には、収容空間の内部も照明する。照明手段が支持手段に設けられた場合には、その照明手段は、載置手段が移動する間も常に、収容空間の内部を照明する。
【００１６】
本発明においては、診断装置が磁気共鳴診断装置である場合には、磁気共鳴診断装置の静磁場空間内に配置されるＲＦコイルにも半導体発光体を用いた照明手段が設置される。ＲＦコイルは、被検体の頭部等の被検部位を収容するコイル部と、このコイル部を支持するコイル部支持部とからなる。
照明手段はコイル部支持部に設置され、被検部位をコイル部に収容するまでのあいだ被検体を照明し、静磁場が形成される収容空間の内部に配置された場合には、収容空間内部を照明する。
【００１７】
【発明の実施の形態】
以下、本発明の実施の形態について、添付図面を参照しながら述べる。
以下に述べる実施形態においてはＭＲ診断の場合を例に挙げて本発明について述べるが、本発明は、ＭＲ診断に限らず、ＰＥＴ（Ｐｏｓｉｔｒｏｎ　Ｅｍｉｓｓｉｏｎ　Ｔｏｍｏｇｒａｐｈｙ：ポジトロン断層撮影法）による核医学等の他の診断手法においても、被検体を収容空間に収容するタイプの診断装置であれば、あらゆる診断装置に適用することができる。
【００１８】
図１は本発明の一実施の形態に係るＭＲ診断装置の外観を示す斜視図である。図１（ａ）はクローズドタイプと呼ばれるＭＲ診断装置の一例を示しており、図１（ｂ）はオープンタイプと呼ばれるＭＲ診断装置の一例を示している。
【００１９】
図１（ａ）に示すＭＲ診断装置１は、ＭＲＩ（Ｍａｇｎｅｔｉｃ　Ｒｅｓｏｎａｎｃｅ　Ｉｍａｇｉｎｇ：磁気共鳴撮影）装置本体１６０と、クレードル１１と、支持台１３とを有している。
ＭＲＩ装置本体１６０は、マグネットシステム２０と、このマグネットシステム２０を収容し、ＭＲＩ装置本体１６０の外形形状を形成する筐体１５とを有する。また、マグネットシステム２０は、静磁場発生用マグネット部２６と、勾配コイル部２７とを有する。
【００２０】
円筒形状の静磁場発生用マグネット部２６の内周側に同じく円筒形状に勾配コイル部２７が配置される。マグネットシステム２０は筐体１５によって収容され、勾配コイル部２７の内周側も、その円筒形状に沿って筐体１５によって覆われる。勾配コイル部２７の内周側に、筐体１５によって形成される空間がボア１６となる。
【００２１】
円筒形のボア１６の円形断面の直径は約５０〜６０ｃｍである。したがって、被検体１２がボア１６内に搬入された場合には、被検体１２は、頭部側と脚部側の端部以外は筐体１５によって取り囲まれることなる。それ故、ＭＲ診断装置１はクローズドタイプと呼ばれる。
なお、ボア１６が、本発明における収容空間の一実施態様に相当する。
【００２２】
ＭＲＩ装置本体１６０に隣接するように、四角柱状の支持台１３が設置される。支持台１３は、その長手方向がボア１６の長手方向と一致するように設置される。
支持台１３の上には、平板状のクレードル１１が載置される。
支持台１３は、本発明における支持手段の一実施態様であり、クレードル１１は本発明における載置手段の一実施態様に相当する。
また、クレードル１１と支持台１３によって、被検体搬送装置が構成される。
【００２３】
被検体１２は、クッション１０を介してクレードル１１上に載置される。被検体１２の頭部は、頭部をＭＲ撮像する場合には、クレードル１１上に載置される円筒状のヘッドコイル２１内に収容される。
頭部ＭＲ撮像の場合には、頭部をヘッドコイル２１内に収容した状態で、オペレータ（操作者）がクレードル１１を動かすことにより手動で、または、支持台１３の駆動機構によってクレードル１１が自動的に動くことにより、被検体１２はボア１６内に搬送される。
【００２４】
静磁場発生用マグネット部２６は、たとえば超伝導磁石を用いて構成される。超伝導磁石の他に、永久磁石や常伝導磁石などの磁場発生用磁石を用いてもよい。
クローズドタイプのＭＲ診断装置１においては、円筒状に構成されたこれらの磁場発生用磁石によって、ボア１６内において、図１（ａ）に示す体軸に平行なＺ方向に、均一な静磁場が形成される。
【００２５】
被検体１２の撮像対象である被検部位は、良好な磁気共鳴画像を入手するために、最も均一な静磁場が形成されている、ボア１６の中心部分に位置付けられる。図１（ａ）に示すＭＲ診断装置１の場合には、被検体１２の頭部と、この頭部を収容するヘッドコイル２１が、ボア１６の中心部分に位置付けられる。
ヘッドコイル２１は、本発明におけるＲＦコイルの一実施態様に相当する。その詳細な構成については後述するが、ヘッドコイル２１は被検部位のスピンを励起するための高周波の回転磁場（ＲＦ信号）を被検部位に送信し、このＲＦ信号の送信を停止した際に被検部位から再放射される、被検部位のスピンに起因して生じる共鳴周波数を有する磁気共鳴信号を受信する。
回転磁場としては、一例として、２．１３ＭＨｚから８５ＭＨｚの範囲の高周波の磁場が用いられる。
【００２６】
なお、上記のヘッドコイル２１は頭部を撮像する場合に用いられるＲＦコイルであったが、被検部位によっては、ＲＦコイルとして、ヘッドコイル２１に限らず、勾配コイル部２７のさらに内周側に円筒形状に配置されるＲＦコイルを用いてもよい。また、被検部位の表面近傍にかざして使用する、表面コイルと呼ばれるＲＦコイルが用いられる場合もある。これらの他のＲＦコイルは、ＲＦ信号の送信用のコイルと磁気共鳴信号の受信用のコイルを同一のコイルによって兼用してもよいし、それぞれ異なる専用のコイルを用いてもよい。
【００２７】
勾配コイル部２７は、ヘッドコイル２１が受信する磁気共鳴信号に３次元の位置情報を持たせるために勾配磁場コイルを３系統有する。勾配コイル部２７は、これらの勾配磁場コイルを用いて、静磁場発生用マグネット部２６が形成した静磁界の強度にＸ方向、Ｙ方向、Ｚ方向の勾配を付ける勾配磁場を発生させる。
これら３つの勾配磁場は、１つが被検部位のスライスを選択するスライス選択勾配磁場であり、１つが位相エンコード勾配磁場であり、もう１つが読み取り勾配磁場（周波数エンコード勾配磁場とも言う）である。
【００２８】
静磁場発生用マグネット部２６、勾配コイル部２７、ヘッドコイル２１は、それぞれ図示しない駆動回路および制御回路に接続され、診断画像生成のための磁気共鳴信号を入手するために協働して制御される。
ヘッドコイル２１によって受信された磁気共鳴信号に基づくデータが、図示しない画像処理部によってフーリエ逆変換等の処理を施され、診断画像として再構成される。
【００２９】
図１（ｂ）に示すオープンタイプのＭＲ診断装置２の場合には、ＭＲＩ装置本体１７０の有するマグネットシステム２００の構成が、ＭＲ診断装置１の場合とは異なっている。
マグネットシステム２００は、上側マグネットケース２２０ａと下側マグネットケース２２０ｂ内にそれぞれ収容されている各１組ずつ上下の、静磁場発生用マグネット部２６０ａ，２６０ｂと、勾配コイル部２６１ａ，２６１ｂと、ＲＦコイル部２６２ａ，２６２ｂとを有する。
上側マグネットケース２２０ａと下側マグネットケース２２０ｂは、ＭＲＩ装置本体１７０の筐体１７の一部である。
上側マグネットケース２２０ａと下側マグネットケース２２０ｂとの間の空間が、ボア１６’を規定している。
【００３０】
ボア１６’は、図１（ｂ）中の矢印Ｙ方向から見た場合には、矩形状をしており、矢印Ｘ方向の幅が、ボア１６の場合よりも広い。したがって、被検体１２に開放感を与えることができるため、ＭＲ診断装置２はオープンタイプと呼ばれる。
【００３１】
１組の静磁場発生用マグネット部２６０ａ，ｂは、平坦であり、上側マグネットケース２２０ａ、下側マグネットケース２２０ｂ内において、互いに対向して配置される。
各静磁場発生用マグネット部２６０ａ，ｂの対向面側に、平坦な１組の勾配コイル部２６１ａ，ｂが、互いに対向して配置される。
勾配コイル部２６１ａ，ｂの対向面側には、平坦な１組のＲＦコイル部２６２ａ，ｂが、互いに対向してさらに配置される。
【００３２】
ＭＲ診断装置２においては、静磁場発生用マグネット部２６０ａ，ｂによって形成される静磁場の方向Ｚは、被検体１２の体軸に垂直である。
マグネットシステム２００の機能ならびに画像生成の仕組みはＭＲ診断装置１の場合と同じであるため、ここでは詳細な記述は省略する。
なお、ＲＦコイル部２６２ａ，ｂに関しては、前述したようなヘッドコイル２１、または表面コイルのような形態をとることも可能である。
【００３３】
〔ＬＥＤランプ〕
図１（ａ），（ｂ）に示すＭＲ診断装置のような、被検体をボア１６，１６’のような収容空間に収容して診断を行なうタイプの診断装置には、収容空間やその内部の被検体１１を照明するための照明機器としてのランプが設置される。
図２（ａ），（ｂ）は、診断装置へのランプの設置状況を述べるための、ＭＲ診断装置１または２の長手方向に沿った概略的な断面図である。
【００３４】
従来は、ランプとして、たとえばハロゲンランプ等の、フィラメントに通電させることによって発光するランプが用いられていた。フィラメントにより発光するハロゲンランプは、発熱量が大きい。したがって、ハロゲンランプ１５０をＭＲ診断装置１または２に設置する場合には、従来は、図２（ｂ）に示すように、マグネットシステム２０または２００を収容する筐体１５または１７に埋込み筒１５５を埋込んでいた。これにより、ボア１６または１６’の表面にハロゲンランプ１５０の発する熱がなるべく伝わらないようにしてハロゲンランプ１５０を設置していた。
【００３５】
上記のような熱対策のため、従来は、筐体１５または１７にハロゲンランプ１５０および埋込み筒１５５を設置するための余分なスペースが必要であり、ＭＲ診断装置１または２が大型化していた。
また、ハロゲンランプ１５０がボア１６または１６’の表面から離れているため、ハロゲンランプ１５０を交換する場合に手間がかかり、メンテナンス性が悪かった。フィラメントを用いるハロゲンランプ１５０は、フィラメントを用いないランプに較べて寿命が短いため、メンテナンス性の悪さは重大な不利益であった。
【００３６】
本実施形態においては、図２（ａ）に示すように、ハロゲンランプ１５０の代わりに、ＬＥＤランプ１００を用いて照明する。
ＬＥＤランプ１００は、たとえば、白色ＬＥＤ素子を所定形状に平面的に配置したＬＥＤパネルによって実現される。
１つのＬＥＤランプ１００の明るさは、一例として、１００Ｗのハロゲンランプ１５０の明るさと同程度とする。この光量は、診断時に用いる光量として十分な明るさである。
なお、ＬＥＤパネルは、所定量の光を発光可能な発光部という意味で用い、ＬＥＤランプは、発光部を発光させるためのドライバ回路や電圧変換回路等の周辺部も含めたものという意味で用いることによって、両者を区別する。
ＬＥＤ素子が本発明における半導体発光体の一実施態様に相当し、ＬＥＤパネルが本発明における照明手段の一実施態様に相当する。
【００３７】
図２（ａ）に図解のように、ＬＥＤランプ１００は、一例として、筐体１５または１７のボア１６または１６’近傍の上部、下部、および支持台１３に、出射光がボア１６または１６’内を照射するように設置される。支持台１３にＬＥＤランプ１００を設置する場合には、クレードル１１の移動により出射光が遮られないように、クレードル１１を挟んだ両側から、ボア１６または１６’内部を照射するように設けることが、照明の目的上好ましい。
【００３８】
ＬＥＤランプ１００は、上記の場所のうちの１ヶ所だけに設置してもよい。また、筐体１５または１７のボア１６または１６’の側面部等の、その他の場所に設置してもよい。
このように、ＬＥＤランプ１００の設置位置や個数は、診断やＭＲ診断装置１，２の動作の不都合にならない範囲で任意に規定してよい。
【００３９】
ＬＥＤランプ１００は、ＬＥＤ素子を用いて構成しているため、フィラメントが磁場の変化によるローレンツ力を受けて振動することによるノイズが発生しない。したがって、磁場を利用しており、かつ、微弱なノイズであっても診断画像の画質に大きく影響するＭＲ診断装置用のランプとして非常に適しており、正確な診断につながる。
【００４０】
また、ＬＥＤ素子として白色のＬＥＤ素子を用いているため、色が自然であり、ボア１６，１６’内の照明や被検体１２への照明として適している。
各種の色が付与されたフィルターを用いることにより、照射光を白色以外の他の色とすることも容易である。
【００４１】
さらに、ＬＥＤランプ１００は小型化が可能であり、ハロゲンランプ１５０に較べて点灯時の温度が大幅に低い。一例として、ハロゲンランプ１５０の点灯時のランプ内温度は１２００℃程度であり、ＬＥＤランプ１００の点灯時の温度は、ＬＥＤ素子の内部においても１２０℃程度である。ＬＥＤランプ１００の点灯による熱は、ＬＥＤランプ１００からある程度離れるとほとんど感知できない。そのため、診断装置の設計の自由度が向上し、図２（ａ）に示すようにＬＥＤランプ１００をボア１６または１６’の近傍に設置することが可能になる。その結果、診断装置の小型化につながる。より詳細には、たとえば図２（ｂ）に示す筐体１５，１７の長さＬの分だけ、図２（ａ）に示すＭＲ診断装置１，２の筐体１５，１７は小さくすることができる。
筐体１５，１７を小さくするかわりに、ハロゲンランプ１５０からＬＥＤランプ１００に変更したことにより発生する、使用されなくなった空間を、たとえばマグネットシステム２０，２００のための冷却システムに組み込む等の、他の目的のために利用することも可能である。
【００４２】
ＬＥＤランプ１００は、ハロゲンランプ１５０等のフィラメントを用いるランプに較べて寿命が著しく長いため、ランプ寿命が延びる。そのためランプ交換のための労力を削減することができる。一例として、ハロゲンランプ１５０の寿命は５００〜１０００時間であるのに対し、ＬＥＤランプ１００の寿命は、３０００時間以上である。
また、ＬＥＤランプ１００を交換する必要が生じた場合にも、ＬＥＤランプ１００は筐体１５，１７の表面近傍に設置することが可能なため、メンテナンス性が良い。
【００４３】
さらに、ＬＥＤを用いているＬＥＤランプ１００の消費電力は、同じ明るさのハロゲンランプ１５０の消費電力の１／４〜１／１０程度であるため、消費電力削減にもつながる。
【００４４】
ＬＥＤランプの形状と設置領域について、図３を用いてさらに述べる。
図３（ａ）は、図１（ｂ）に示すＭＲ診断装置２のマグネットシステム２００の概略構成を示す断面図であり、図３（ｂ）は、図３（ａ）の矢印ＶＤから見た正面図である。
前述のように、ボア１６’側から順に、各１組ずつ上下の円形形状のＲＦコイル部２６２ａ，２６２ｂと、勾配コイル部２６１ａ，２６１ｂと、静磁場発生用マグネット部２６０ａ，２６０ｂとが、ボア１６’を挟んで対向して配置されており、これらの片方ずつが、上側マグネットケース２２０ａと下側マグネットケース２２０ｂにそれぞれ収容されている。
【００４５】
ボア１６’の高さＨＴは、静磁場発生用マグネット部２６０ａ，ｂの形成する静磁場の均一性とボア１６’の広さとの兼ね合いの範囲内においてなるべく高くなるように規定されている。したがって、断面においては、ＲＦコイル部２６２ａと上側マグネットケース２２０ａとの間、およびＲＦコイル部２６２ｂと下側マグネットケース２２０ｂとの間には、隙間はほとんど存在していない。
【００４６】
しかしながら、図３（ｂ）において上側マグネットケース２２０ａを例に挙げて示すように、正面から見た場合には、上側マグネットケース２２０ａの四隅においては、円形形状のＲＦコイル部２６２ａとの間に、ある程度の領域が存在する。本実施形態においては、この領域に、図３（ｂ）に示すような、平面的に配置された発光領域の両端部が半円状の長方形型のＬＥＤランプ１０５が、２個１組になって設けられている。
ＬＥＤランプ１０５は、その光射出面がボア１６’側を向くように、たとえば上側マグネットケース２２０ａに穴をあけて埋込むことによって設置する。
【００４７】
本実施形態においては、ＬＥＤ素子の占める面積をなるべく大きくするために、ＬＥＤランプ１０５の形状は両端部が半円状の長方形型であるとした。しかし、ＬＥＤランプ１０５の形状はこれに限定されない。また、２個１組で配置される必要はなく、２個のＬＥＤランプ１０５を一体化させたような１個のＬＥＤランプを上側マグネットケース２２０ａの四隅にそれぞれ配置してもよい。
また、本実施形態においては上側マグネットケース２２０ａの大きさをできる限り小さくするため、上側マグネットケース２２０ａの四隅においてＬＥＤランプ１０５を設置するとした。しかし、上側マグネットケース２２０ａのサイズを多少大きくすることを許容する場合には、上側マグネットケース２２０ａの各辺に沿ってＬＥＤランプ１０５を設置することも可能である。
下側マグネットケース２２０ｂにも、上記と同様のＬＥＤランプ１０５が設置される。
【００４８】
以上のような構成により、ＬＥＤランプ１０５は薄く構成することが可能であることから、ボア１６’の高さ、または静磁場の均一性に影響を与えることなく、上側および下側マグネットケース２２０ａ，ｂにＬＥＤランプを設置することができる。
また、上側および下側マグネットケース２２０ａ，ｂの四隅等の端部が発光することによって広がりが感じられるようになり、被検体１２の視覚に開放感が与えられ、被検体１２にボア１６’の開放感を印象付けることができ、被検体１２の閉塞感を低減することができる。
【００４９】
ＬＥＤランプを用いる場合には、それに伴うＭＲ診断装置１，２の設計変更のコストが問題となる。しかし、以下に述べる構成のＬＥＤランプ１００を用いることによって、そのコストを最小限に抑制することができる。
【００５０】
比較のために、まず、従来のハロゲンランプ１５０による照明の構成について述べる。図４（ｂ）は、ハロゲンランプ１５０による照明の構成例を示す部分断面図である。
ハロゲンランプ１５０が設置される支持台１３、または筐体１５，１７は、一例として、筐体ベース１５ａの表面にたとえばプラスチック等の樹脂製のカバー１５ｂを設けることによって構成されている。
前述の埋込み筒１５５が、筐体ベース１５ａに埋込まれる。埋込み筒１５５は、たとえば銅やアルミニウム等の金属によって形成される。
【００５１】
埋込み筒１５５の筐体ベース１５ａ側の端部には、ソケット２３が設けられる。ソケット２３には、図示しない給電線によって電力が供給される。
ソケット２３は、本発明における電力供給端子の一実施態様に相当する。
【００５２】
ハロゲンランプ１５０は、このソケット２３に差込まれて設置され、図示しないスイッチによって適宜点灯、または消灯される。
また、埋込み筒１５５の、カバー１５ｂにおける開口部は、光を透過する透光カバー１８によって覆われる。この透光カバー１８も、プラスチック等の樹脂によって形成され、好適には光を拡散し柔らかく照明するために、ある程度のくもりを有する。
透光カバー１８は、被検体がハロゲンランプ１５０に接触することを防止する役目も果たしている。
【００５３】
本実施形態においては、ＬＥＤランプ１００はＬＥＤパネル１０１と電圧変換機１８５とを有し、これらは一体化している。
前述のように、ＬＥＤパネル１０１は、白色ＬＥＤ素子１０１ａを、所定形状に平面的に配置することによって実現される。
なお、電圧変換機１８が本発明における電圧変換手段の一実施態様に相当する。
【００５４】
図４（ａ）に示すＬＥＤランプ１００の電圧変換機１８５はソケット２３に接続可能な端子を有している。ハロゲンランプ１５０の代わりに、電圧変換機１８５の端子をソケット２３に差込んで設置することにより、ＬＥＤランプ１００に電力を供給することができる。
【００５５】
前述のようにＬＥＤランプ１００の消費電力はハロゲンランプ１５０の消費電力よりも少ない。したがって、電圧変換機１８５によりＬＥＤパネル１０１に適合するように電圧を変換すれば、ＬＥＤランプ１００への電力供給源として、ハロゲンランプ１５０への電力供給のために用いていたソケット２３をそのまま用いることができる。
【００５６】
ＬＥＤランプ１００への電流は、直流（Ｄｉｒｅｃｔ　Ｃｕｒｒｅｎｔ：ＤＣ）電流として供給することも可能であり、交流（Ａｌｔｅｒｎａｔｉｎｇ　Ｃｕｒｒｅｎｔ：ＡＣ）電流として供給することも可能である。
電圧変換機１８５は、供給電流に応じて、ＡＣ／ＤＣ変換機、またはＤＣ／ＤＣ変換機を備えたものを使用する。
【００５７】
電流変換または電圧変換に伴い、電圧変換機１８５からはスイッチングノイズが発生する可能性があり、このスイッチングノイズが画質に影響を与える可能性がある。しかしながら、本実施形態においては、電圧変換機１８５が埋込み筒１５５内部に収容されることから、たとえ電圧変換機１８５からスイッチングノイズが発生したとしても、金属製の埋込み筒１５５がシールドとして機能し、画質への影響を最小限に抑えることができる。
電圧変換機１８５のカバーを、金属を利用して形成すれば、スイッチングノイズの電圧変換機１８５の外部への放出はさらに低いレベルに抑制することができる。
【００５８】
このように、ＬＥＤパネル１０１と電圧変換機１８５を一体化して、ソケット２３を利用して点灯させる形態のＬＥＤランプ１００によれば、ハロゲンランプ１５０を用いた照明のための既存の点灯設備をそのまま利用することができる。したがって、ＬＥＤランプ１００を用いて照明することに伴う、ＭＲ診断装置１，２の設計変更のコストを最小限に抑制することができる。
また、ＬＥＤパネル１０１と電圧変換機１８５とを一体化させたＬＥＤランプ１００に交換する際のコストはかかるものの、ＬＥＤランプ１００はハロゲンランプ１５０と比較して長寿命であるため、一度交換した後は、ハロゲンランプ１５０の交換に費やしていた労力やコストを大幅に削減することが可能となる。
また、白色光を発光するＬＥＤパネル１０１を用いているため、透光カバー１８の色を変更するだけで、照明の色を容易に変更することができる。
【００５９】
〔クレードルおよび支持台〕
ＬＥＤランプは薄くすることが可能であり、ノイズを発生せず、点灯時の温度も低い。そのため、先に述べたようにＭＲＩ装置本体１６０，１７０、または支持台１３に設置するだけでなく、クレードル１１にも設けることが可能になる。
図５は、本発明に係るクレードルおよび支持台の一実施形態の斜視図である。先述のように、支持台１３の上にクレードル１１が載置されている。
なお、図５に示すクレードル１１および支持台１３は、たとえばこれらの外部のコンピュータ等の制御装置にＬＥＤランプが連結されていない場合の形態である。この場合、ＬＥＤランプの点灯、消灯や光量調節等の作業は、オペレータが手動により行なう。ただし、クレードル１１の移動は、オペレータが手動で行なっても、モーター等の駆動装置により行なってもよい。
クレードル１１は、支持台１３上において、図中矢印Ａｒ１方向、または矢印Ａｒ２方向に移動される。矢印Ａｒ１側が、診断時に被検体１２を搬送してゆく診断装置側であり、矢印Ａｒ２側が、診断終了時にクレードル１１が戻される定位置であるホームポジション側である。
【００６０】
図５に示すクレードル１１は、ＬＥＤランプ１１０ａ〜ｃと、２次電池３５０と、２個のスイッチ３１０と、シャッターレバー係止部３１３とを有する。
また、支持台１３は、充電用端子３３０と、シャッターレバー３１５と、シャッター３２０とを有している。
【００６１】
図５においては、クレードル１１の上面の長手方向の両側と、側面に、合計１２個のＬＥＤランプ１１０ａ〜ｃが設置されている。最もホームポジション側のＬＥＤランプ群をＬＥＤランプ１１０ａとし、そこから順に矢印Ａｒ１側へ向かうＬＥＤランプ群をそれぞれＬＥＤランプ１１０ｂ、ＬＥＤランプ１１０ｃとする。
各ＬＥＤランプ１１０ａ〜ｃに図示しない配線によって接続され、電力を供給する２次電池３５０が、クレードル１１の内部に設置される。
【００６２】
スイッチ３１０は、好適にはクレードル１１上面のホームポジション側に設ける。
スイッチ３１０は、たとえばスライド式のスイッチである。そのうちの１つは点灯させるＬＥＤランプ１１０ａ〜ｃを選択するためのものであり、もう１つは選択して点灯させたＬＥＤランプの明るさを調節するためのものである。
オペレータがこれらのスイッチを操作することにより、ＬＥＤランプ１１０ａ〜ｃの点灯、消灯、ならびに光量が制御される。
【００６３】
シャッターレバー係止部３１３は、図５に示すように、たとえばプラスチック等の樹脂によってたとえば細長い柱状に形成される。
シャッターレバー係止部３１３は、その一部を支持台１３側に突出させるようにして、クレードル１１のたとえば最もホームポジション側に設ける。
【００６４】
本実施形態においては、クレードル１１がホームポジションに戻されるたびに、２次電池３５０が充電されるようにする。この充電時に発生する可能性があるノイズがＭＲ診断装置１，２に影響を与えないようにするために、２次電池３５０と充電用の端子は、できるだけホームポジション側に配置することが好ましい。したがって、本実施形態においては、充電用端子３３０が、支持台１３の上面のホームポジション側に配置される。また、図示はしないが、充電用端子３３０に連結している充電器が、支持台１３の内部に設置される。
【００６５】
ホームポジション側はオペレータや被検体１２が頻繁に立回り、接触する部分であるため、充電用端子３３０が露出していると、充電用端子３３０にほこりや脂肪分等の汚れが付着し、２次電池３５０の充電に支障をきたす可能性がある。したがって、本実施形態においては、充電用端子３３０を覆うシャッター３２０を設け、クレードル１１がホームポジションに戻ってきたときのみ充電用端子３３０が露出するようにしている。
【００６６】
シャッター３２０は、たとえば、支持台１３の側面に設けたシャッターレバー３１５が矢印Ａｒ３側に動かされたときに、矢印Ａｒ４側に動いて開くように設計する。また、シャッターレバー３１５は、クレードル１１がホームポジション側に戻ってきたときにクレードル１１のシャッターレバー係止部３１３に係止し、クレードル１１がホームポジションに位置したときにシャッター３２０が完全に開くように配置される。シャッターレバー３１５は、シャッターレバー係止部３１５と係止しない場合には、バネ等の弾性体の弾性力により矢印Ａｒ１側に戻り、このとき、シャッター３２０も完全に閉じるようにする。
【００６７】
以上の構成により、クレードル１１を矢印Ａｒ１側に動かしてＭＲ診断装置１，２側に被検体１２を搬送する場合には、シャッターレバー３１５とシャッターレバー係止部３１３は係合しないため、シャッター３２０は開かず、充電用端子３３０は露出しない。
クレードル１１がホームポジションに戻された場合には、シャッター３２０が完全に開き、充電用端子３３０が露出して２次電池３５０側の充電用端子と接触し、２次電池３５０が充電される。
【００６８】
図１（ａ），（ｂ）に示すように、被検体１２は、被検部位の位置に応じて、頭部から診断装置に搬入される場合もあるし、脚部から搬入される場合もある。
本実施形態においては、図５に示すように、クレードル１１の長手方向の位置に応じて、別個のＬＥＤランプ群１１０ａ〜ｃが設けられているため、被検体１２の姿勢に応じて点灯させるＬＥＤランプ群１１０ａ〜ｃを選択することが可能である。
【００６９】
一例として、被検体１２に感知されにくい、脚部側のＬＥＤランプは点灯させない。詳細には、たとえば被検体１２の頭部がクレードル１１の矢印Ａｒ１側に位置しているときには、ＬＥＤランプ１１０ａ、またはＬＥＤランプ１１０ａとＬＥＤランプ１１０ｂの両方を点灯させない。逆に、頭部が矢印Ａｒ２側に位置しているときには、ＬＥＤランプ１１０ｃ、またはＬＥＤランプ１１０ｂとＬＥＤランプ１１０ｃの両方を点灯させない。
被検体１２が照明を眩しがる場合には、頭部側のＬＥＤランプを消灯するようにしてもよい。
このように点灯させるＬＥＤランプを選択することにより、無駄な点灯を省き、消費電力を低減することができる。
また、閉塞感を強く感じる被検体１２の場合には、全てのＬＥＤランプ１１０ａ〜ｃを点灯させてもよい。これにより、被検体１２の閉塞感を低減させることができる。
【００７０】
このように、本実施形態によれば、ＬＥＤランプ１１０ａ〜ｃを用いることによって、クレードル１１にも照明を取り付けることができる。また、これにより、従来ではできなかったより適切な照明が可能になる。
さらに、本実施形態によれば、２次電池３５０を用い、クレードル１１をホームポジションに戻したときにこの２次電池３５０が自動的に充電されるようにしているため、電力供給、充電の支障を考慮する必要がなく、診断に集中できる。
【００７１】
図５に示したクレードル１１および支持台１３は、充電用端子３３０を２次電池３５０に接触させて充電したが、非接触で２次電池３５０を充電することもできる。
図６に、非接触で２次電池３５０を充電させる場合のクレードル１１と支持台１３の実施の形態の部分斜視図を示す。
【００７２】
図６に示す支持台１３は、図５における支持台１３の充電用端子３３０を有する充電器、シャッター３２０、シャッターレバー３１５の代わりに、非接触方式の充電器３５０ｂを有する。
それに対応して、クレードル１１の内部に収容されている２次電池３５０も、非接触で充電するための充電回路３５０ａを有している。
その他の構成、機能は図５に図解したクレードル１１および支持台１３と同じであるため、詳細な記述は省略する。
【００７３】
以上の構成により、本実施形態においては、クレードル１１をホームポジションに戻した場合に、２次電池３５０が非接触で充電される。このため、クレードル１１および支持台１３の構造を簡単にすることができる。また、可動部が存在しないため、診断に支障をきたすことがない。
【００７４】
上記の充電回路３５０ａおよび充電器３５０ｂとしては、公用されているものを使用することができる。充電時に発生する電波がＭＲ診断装置の機能に影響を与える可能性もあるが、充電回路３５０ａおよび充電器３５０ｂはマグネットシステム２０，２００からは離れており、また充電時には診断のための検査が終了しているため、診断画像の画質への影響はほとんど無いと考えられる。
クレードル１１および支持台１３に電磁シールド等のノイズ対策を施すことにより、画質への影響はさらに低減することができる。
【００７５】
以上のように、図６に示す実施形態によれば、クレードル１１および支持台１３の構造を簡単にすることができ、より簡便に２次電池３５０を充電することができる。また、オペレータは診断のための検査に集中することができる。
【００７６】
前述の図５および図６に示す実施形態は、オペレータが手動によりＬＥＤランプ１１０ａ〜ｃを点灯させる形態であった。ＬＥＤランプ１１０ａ〜ｃがクレードル１１の外部の制御装置に接続されている場合には、ＬＥＤランプ１１０ａ〜ｃを自動で点灯させることができる。
以下では図７を参照して、ＬＥＤランプ１１０ａ〜ｃを自動で点灯させる形態について述べる。
なお、図７においては、ＬＥＤランプ１１０ａ〜ｃの自動点灯に伴い、クレードル１１もモーター等の駆動装置により自動で移動させる場合について述べる。しかしながら、クレードル１１は、オペレータが手動により移動させてもよい。
【００７７】
図７は、クレードル１１および支持台１３を側面から見た場合の部分断面図である。クレードル１１を自動的に移動させる場合には、支持台１３は、その内部にベルト１３０と、連結部材１３１と、ローラー１３２，１３５と、ケーブル１４０とを有する。
ベルト１３０は、支持台１３の側壁の内側に回転自在に設置されている２個のローラー１３２に掛け渡されている。
また、クレードル１１とベルト１３０は、連結部材１３１によって連結される。連結部材１３１は、たとえば接着剤によってクレードル１１およびベルト１３０に接着される。
【００７８】
ケーブル１４０の一方の端部は、クレードル１１の内部を通過して各ＬＥＤランプ１１０ａ〜ｃに接続される。
ケーブル１４０には、ＬＥＤランプ１１０ａ〜ｃに電力を供給するための電力線と、ＬＥＤランプ１１０ａ〜ｃの点灯・消灯、および光量を制御するためのデジタル信号を伝送するためのデジタル線が含まれる。
ケーブル１４０の他端は、ローラー１３５によって巻き取られるようになっている。
【００７９】
図示しないモーター等の駆動装置を用いてローラー１３２が回転し、ベルト１３０と共に連結部材１３１が移動することによって、クレードル１１が自動的に、筐体１５または１７と支持台１３間を移動する。
クレードル１１の移動に伴い、ケーブル１４０がたるまないようにケーブル１４０の長さを調節するために、図示しないモーター等の駆動装置によって、ローラー１３５が回転する。
ローラー１３２，１３５を回転させるモーターの回転量や回転方向は、図示しないコンピュータ等の制御装置によって制御される。その制御情報は、一例として、被検体１２のクレードル１１上における姿勢や、被検部位等の被検体情報を含む、コンピュータに入力される診断プロトコルによって与えられる。
【００８０】
本実施形態によれば、ケーブル１４０をコンピュータに接続することにより、クレードル１１の移動や被検体１２の姿勢変更等の診断プロトコルに応じて、前述したＬＥＤランプ１１０ａ〜ｃの選択点灯や光量調節を自動的に行なうことができる。
また、２次電池３５０を用いないため、充電のための構造やノイズ対策が不用になる。ただし、ケーブル１４０へのシールドの必要性は存在する。
これにより、オペレータは検査により一層集中することができる。
【００８１】
〔ヘッドコイル〕
ＬＥＤランプは薄くすることが可能であり、ノイズを発生せず、点灯時の温度も低い。そのため、本発明においては、静磁場空間内において用いるＲＦコイルにもＬＥＤランプを設けることができる。
以下では、ＲＦコイルの一例として、ヘッドコイル２１を例に挙げ、ヘッドコイル２１にＬＥＤランプを設ける場合について述べる。
【００８２】
図８（ａ）は、本発明の一実施形態に係る、ＬＥＤランプを設けたヘッドコイルを示す側面図であり、図８（ｂ）は、図８（ａ）に示すヘッドコイルの斜視図である。
図８（ａ），（ｂ）に示すヘッドコイル２１は、コイル部２１ａと、ベース部２１ｂと、ＬＥＤランプ１１５とを有している。
コイル部２１ａは、ベース部２１ｂ上に載置され、好適には両者は一体化している。
なお、コイル部２１ａが本発明におけるコイル部の一実施態様であり、ベース部２１ｂが本発明におけるコイル部支持部の一実施態様に相当する。
【００８３】
コイル部２１ａは、銅等の導電線からなり、感度領域内のＲＦ信号の分布が均一になるように設計された形状のコイルを有している。このコイルを、たとえばプラスチック等の樹脂を用いてケーシングすることによってコイル部２１ａが構成される。コイル部２１ａの外形形状は、被検体１２の頭部１２ａを収容するために、図８（ａ），（ｂ）に図解のように円筒形状に形成される。
コイル部２１ａは、内側の空間内に、頭部１２ａを固定するための頭部固定部１２１を有している。
【００８４】
ＬＥＤランプ１１５は、コイル部２１ａと一体化しているベース部２１ｂの長手方向の側面の両方に設けられる。ＬＥＤランプ１１５の発光部であるＬＥＤパネルは、ベース部２１の形状に合わせて、細長いパネル状に構成される。
ＬＥＤランプ１１５への電力供給のための電力線は、コイル部２１ａのコイルへの電力供給のための電力線と同様にしてＬＥＤランプ１１５へ接続すればよい。
ＬＥＤランプ１１５の点灯・消灯のためのスイッチや、光量調節のためのスイッチは、上記の電力線の中途部や、ベース部２１ｂ、またはコイル部２１ａに設置することができる。
ヘッドコイル２１をコンピュータに接続し、その動作を自動で制御する場合には、ＬＥＤランプ１１５の点灯・消灯や光量調節等の制御も、スイッチを設けず、自動で行なうことが可能である。
【００８５】
診断のための検査時には、被検体１２は、クレードル１１上に載置されているヘッドコイル２１のコイル部２１ａの内部に頭部１２ａを進入させる。頭部１２ａは頭部固定部１２１によって、コイル部２１ａ、ひいてはヘッドコイル２１に固定される。
頭部１２ａをコイル部２１ａに収容した状態で、クレードル１１が移動し、頭部１２ａはボア１６または１６’内に搬送される。
【００８６】
本実施形態においては、被検体１２が頭部１２ａをコイル部２１ａに収容させ、ボア１６または１６’内に搬送される場合に、ＬＥＤランプ１１５によって、コイル部２１ａおよびベース部２１ｂの外部の被検体１２またはボア１６，１６’内部を照明することができる。
これにより、コイル部２１ａを光が通過可能な場合には、被検体１２が視野内において光を認識することが可能になり、閉塞感が低減される。また、コイル部２１ａが光を透過しない場合にも、被検体１２が頭部をコイル部２１ａに収容するまでの照明として、被検体１２の不安を低減することができる。
【００８７】
〔光量調節機構〕
以上述べてきたＬＥＤランプ１００，１０５，１１０，１１５の光量調節機構の一例を以下に述べる。
ＬＥＤランプ１００，１０５，１１０，１１５の発光部であるＬＥＤパネル１０１を構成する複数の白色ＬＥＤ素子１０１ａを、一例としてＡ群、Ｂ群、Ｃ群の３つのグループに分ける。
図９に、この３つのグループに分けた場合のＬＥＤパネル１０１の点灯状態を示す。
【００８８】
上記のＬＥＤ素子１０１ａのＡ，Ｂ，Ｃ群の各グループが、それぞれ本発明における半導体発光体群の一実施態様に相当する。
このような場合に、ＬＥＤパネル１０１の光量は、Ａ，Ｂ，Ｃ群のうちのいずれか１群が点灯している場合が弱となり、Ａ，Ｂ，Ｃ群のうちのいずれか２群が同時に点灯している場合が中となり、Ａ，Ｂ，Ｃ群全てが同時に点灯している場合が強となる。したがって、弱および中の光量は、それぞれ３パターンの発光パターンによって実現することができる。
【００８９】
本実施形態においては、光量を選択してＬＥＤパネル１０１を発光させる時点において、選択した光量に応じて、点灯させるＬＥＤ素子群をランダムに自動的に選択する。ＬＥＤパネル１０１の点灯中には、ＬＥＤ素子群の切換えは行なわない。
これにより、長期的にみると、全てのＬＥＤ素子群Ａ，Ｂ，Ｃが同程度の負荷を受けることになり、いずれか１つのグループのＬＥＤ素子１０１ａのみが壊れることがなくなる。したがって、ＬＥＤパネル１０１および各ＬＥＤランプ１００，１０５，１１０，１１５全体としての寿命を延ばすことが可能になる。
このため、メンテナンスの労力およびコストをさらに低減することができる。
【００９０】
なお、本発明は、本発明の要旨を逸脱しない範囲内において、適宜変更可能である。たとえば、ＬＥＤランプの形状や設置位置は適宜変更可能である。
また、ＬＥＤの代わりに、エレクトロルミネッセンスデバイス等の他の半導体発光体を用いてもよい。
さらに、被検体搬送装置としては、上記実施の形態に限らず、椅子状のクレードルをロボットアーム等の支持手段によって支持・搬送する形態であってもよい。
さらにまた、本発明は、ＭＲ診断装置に限らず、ＰＥＴに用いる診断装置等の、他の診断装置に対しても適用することが可能である。
【００９１】
【発明の効果】
以上のように、本発明によれば、診断時に利用され、ノイズを発生せず、色が自然で十分な輝度があり、かつ長寿命な照明機器を有する診断装置を提供することができる。
また、本発明によれば、診断時に利用され、ノイズを発生せず、色が自然で十分な輝度があり、かつ長寿命な照明機器を有する被検体搬送装置を提供することもできる。
さらにまた、本発明によれば、診断時に利用され、ノイズを発生せず、色が自然で十分な輝度があり、かつ長寿命な照明機器を有するＲＦコイルを提供することもできる。
【図面の簡単な説明】
【図１】図１（ａ）は、本発明に係るクローズドタイプのＭＲＩ診断装置の一例の外観図であり、図１（ｂ）は、本発明に係るオープンタイプのＭＲＩ診断装置の一例の外観図である。
【図２】図２（ａ）は、本発明に係るＭＲＩ診断装置の部分概略断面図であり、図２（ｂ）は、従来の診断装置の部分概略断面図である。
【図３】図３（ａ）は、図１（ｂ）に示すＭＲＩ診断装置のマグネットシステムの概略構成を示す断面図であり、図３（ｂ）は、図３（ａ）の矢印ＶＤから見た正面図である。
【図４】図４（ａ）は、本発明に係るＬＥＤランプの一構成例を示す図であり、図４（ｂ）は、従来のハロゲンランプによる照明の構成例を示す図である。
【図５】図５は、本発明に係るクレードルおよび支持台の一実施形態を示す斜視図である。
【図６】図６は、本発明に係るクレードルおよび支持台の異なる実施形態を示す部分斜視図である。
【図７】図７は、本発明に係るクレードルおよび支持台のさらに異なる実施形態を示す部分断面構成図である。
【図８】図８（ａ）は、本発明に係るＲＦコイルの一実施形態を示す側面図であり、図８（ｂ）は、図８（ａ）に示すＲＦコイルの斜視図である。
【図９】図９は、本発明に係るＬＥＤランプの点灯状態を示す図である。
【符号の説明】
１，２…ＭＲＩ装置
１０…クッション
１１…クレードル
１２…被検体
１２ａ…頭部
１３…支持台
１５，１７…筐体
１５ａ…筐体ベース
１５ｂ…カバー
１６，１６’…ボア
１８…透光カバー
２０，２００…マグネットシステム
２１…ヘッドコイル
２１ａ…コイル部
２１ｂ…ベース部
２３…ソケット
２６，２６０ａ，２６０ｂ…静磁場発生用マグネット
２７，２６１ａ，２６１ｂ…勾配磁場コイル
２６２ａ，２６２ｂ…ＲＦコイル
１００，１０５，１１０，１１５…ＬＥＤランプ
１０１…ＬＥＤパネル
１０１ａ…ＬＥＤ素子
１２１…頭部固定部
１３０…ベルト
１３１…連結部材
１３２，１３５…ローラー
１４０…ケーブル
１５０…ハロゲンランプ
１５５…埋込み筒
１６０，１７０…ＭＲＩ装置本体
１８５…電圧変換機
２２０ａ…上側マグネットケース
２２０ｂ…下側マグネットケース
３１０…スイッチ
３１３…シャッターレバー係止部
３１５…シャッターレバー
３２０…シャッター
３３０…充電用端子
３５０…２次電池
３５０ａ…充電回路
３５０ｂ…充電器
Ａｒ１〜４…矢印
【図１】
2004089621.tif 000003
【図２】
2004089621.tif 000004
【図３】
2004089621.tif 000005
【図４】
2004089621.tif 000006
【図５】
2004089621.tif 000007
【図６】
2004089621.tif 000008
【図７】
2004089621.tif 000009
【図８】
2004089621.tif 000010
【図９】
2004089621.tif 000011